(57)【要約】【課題】合成樹脂製の軸ピンを用いた化粧用コンパクト容器等の容器の蝶番構造において、強度的に優れた軸ピンの支持方法の創出を技術的課題とし、もって剪断力による合成樹脂製の軸ピンの破壊を防止して、容器の耐久性と安全性を高めることを目的とする。【解決手段】化粧料を収納する容器本体の後端部の左右両端部に端部蝶番片とこの端部蝶番片の間に少なくとも１ケの内側蝶番片を設け、蓋体の後端部の端部蝶番片とこの端部蝶番片に隣接する内側蝶番片との間に対向する位置に設けた２ケの蓋体蝶番片を組み付け、容器本体と蓋体とを開閉回動自在に結合する容器の蝶番構造であること、２箇所で、合成樹脂製の軸ピンが蓋体の蓋体蝶番片に貫通して形成された軸孔と、この蓋体蝶番片に隣接する容器本体の端部蝶番片に形成された軸孔と、内側蝶番片に形成された軸孔を挿通する構成とすること、にある。【選択図】　　　　　　　図１
2004033286.tif 000002
【特許請求の範囲】
【請求項１】
化粧料を収納する容器本体（２）の後端部の左右両端部に端部蝶番片（３ａ）と該端部蝶番片（３ａ）の間に少なくとも１ケの内側蝶番片（３ｂ）を設け、蓋体（６）の後端部の、前記端部蝶番片（３ａ）と該端部蝶番片（３ａ）に隣接する内側蝶番片（３ｂ）との間に対向する位置に設けた２ケの蓋体蝶番片（７）を組み付け、前記容器本体（２）と蓋体（６）とを開閉回動自在に結合する容器（１）の蝶番構造であって、２箇所で、合成樹脂製の軸ピン（９）が蓋体（６）の蓋体蝶番片（７）に貫通して形成された軸孔（８）と、該蓋体蝶番片（７）に隣接する前記容器本体（２）の端部蝶番片（３ａ）に形成された軸孔（４ａ）と、内側蝶番片（３ｂ）に形成された軸孔（４ａ、４ｂ）を挿通する構成とした、容器の蝶番構造。
【請求項２】
容器本体（２）の後端部の左右両端部に端部蝶番片（３ａ）と中央部に１ケの内側蝶番片（３ｂ）を設ける構成とした、請求項１記載の容器の蝶番構造。
【請求項３】
構造全体を左右対称の形状に構成した、請求項１または２記載の容器の蝶番構造。
【発明の詳細な説明】
【０００１】
【発明の属する技術分野】
本発明は、容器本体と蓋体とを開閉回動自在に結合する容器の蝶番構造に関するもので、特には、合成樹脂製の軸ピンを使用した蝶番構造に関する。
【０００２】
【従来の技術】
化粧用コンパクト容器として、容器本体の後端部に設けた軸孔を形成した蝶番片と、同様に蓋体の後端部に設けた軸孔を形成した蝶番片とを組合せ、各軸孔に蝶番の軸体となる軸ピンを挿通し、容器本体に対して蓋体を開閉回動自在に結合したものが知られている。
【０００３】
図５、６は従来より一般的に用いられているコンパクト容器の一例を示したものであり、容器本体２’の左右両端部に貫通した軸孔４ａ’を形成した端部蝶番片３ａ’を設け、その間に蓋体６’の中央部に左右の端面から軸孔８’を形成した蓋体蝶番片７’を嵌入して、２本の軸ピン９’で蓋体蝶番片７’を容器本体２’の端部蝶番片３ａ’に結合する構成である。
【０００４】
通常１本の軸ピンで蝶番全幅を挿通することは、軸孔等の成形精度等の点から困難であり、上記したように２本の軸ピン９’を両側端面から嵌入して結合するが、蓋体蝶番片７’を結合するそれぞれの軸ピン９’はその一端のみが容器本体２’の端部蝶番片３ａ’に支持された、すなわち片持ちの状態で支持されている。
【０００５】
このような化粧料コンパクト容器は、軸ピンを回動軸として、容器本体に対して蓋体を回動した状態で、容器本体若しくは蓋体の一方に何らかの強い外力が加わると、その外力の作用により、外力が加わった容器本体と蓋体の位置が相対的にずれようとし、特には上記した片持ちの状態での支持方法では容器本体の蝶番片に形成された軸孔と蓋体の蝶番片に形成された軸孔とに跨った軸ピンの部分に大きな剪断力が働く。
【０００６】
このため、従来においては、容器本体及び蓋体を結合する軸ピンとして、機械的強度の大きい、金属製のものを用いていた。
【０００７】
一方、近年においては、容器本体と蓋体と軸ピンを分別回収する煩雑さを回避すること、容器を軽量化できること、製造コストが安価であること等の利点を考慮して、金属製から合成樹脂製軸ピンへの材料代替が求められるようになってきている。
【０００８】
【発明が解決しようとする課題】
しかしながら、合成樹脂製の軸ピンは機械的強度が低いため、単に金属性のピンを置き換えただけでは、実用的な強度が不足するという問題があり、蝶番構造全体での高強度化への対応が課題となっている。
【０００９】
そこで、本発明は、上記した従来技術における問題点を解消すべく創案されたもので、合成樹脂製の軸ピンを用いた化粧用コンパクト容器等の容器の蝶番構造において、強度的に優れた軸ピンの支持方法の創出を技術的課題とし、もって剪断力による合成樹脂製の軸ピンの破壊を防止して、容器の耐久性と安全性を高めることを目的とする。
【００１０】
【課題を解決するための手段】
上記課題を解決する本発明の内、請求項１記載の発明の手段は、化粧料を収納する容器本体の後端部の左右両端部に端部蝶番片と、この端部蝶番片の間に少なくとも１ケの内側蝶番片を設け、蓋体の後端部の、容器本体の端部蝶番片とこの端部蝶番片に隣接する内側蝶番片との間に対向する位置に設けた２ケの蓋体蝶番片を組み付け、容器本体と蓋体とを開閉回動自在に結合する容器の蝶番構造であること、
２箇所で、合成樹脂製の軸ピンが蓋体の蓋体蝶番片に貫通して形成された軸孔と、この蓋体蝶番片に隣接する容器本体の端部蝶番片に形成された軸孔と、内側蝶番片に形成された軸孔を挿通する構成とすること、にある。
【００１１】
請求項１記載の上記構成にあっては、蓋体の２ケの蓋体蝶番片それぞれが、容器本体の端部蝶番片と内側蝶番片により両側から挟まれ、また、軸孔が軸受けとしての機能を発揮した状態で、軸ピンはその両端をこの端部蝶番片と内側蝶番片により支持される。
【００１２】
ここで、端部蝶番片と内側蝶番片は共に容器本体に一体連設されているため外力による相対的な変位が極めて小さいので、軸ピンは両持ちの状態で確実に支持された状態となる。
【００１３】
蓋体を回動限まで開放した状態で、容器に何らかの強い外力が加わると、その外力の作用により、容器本体の蝶番片と蓋体の蝶番片の相対的な位置がずれようとし、容器本体の蝶番片に形成された軸孔と蓋体の蝶番片に形成された軸孔とに跨った軸ピンの部分に大きな剪断力が働くが、請求項１記載の構成により上記のように、軸ピンは両持ちの状態で確実に支持された状態であるので、この剪断力を軸ピンの一方の支持部に偏することなく両支持部で略均等に受け持ち支持するできるので、その分より大きな剪断力に対抗することができる。
【００１４】
また、合成樹脂製の軸ピンで３ケの軸孔を容器の全幅に亘って挿通するためには、合成樹脂製部材の成形、および挿通作業において高い精度を要するが、請求項１記載の構成は、軸ピンが挿通する蓋体蝶番片を２ケ設けた構成であるので、それぞれの部分での挿通長さは短くすることができ、比較的簡単な成形および挿通作業で蝶番を組み立てることができる。
【００１５】
請求項２記載の発明の手段は、請求項１の発明において、容器本体の後端部の左右両端部に端部蝶番片と中央部に１ケの内側蝶番片を設ける構成とすること、にある。
【００１６】
請求項２記載の上記構成は、２箇所で軸ピンを容器本体の蝶番片で両持ちの状態で支持するための最も単純な構成であり良好な生産性と優れた外観性を有する。
【００１７】
請求項３記載の発明の手段は、請求項１または２記載の発明において、蝶番構造全体を左右対称の形状に構成すること、にある。
【００１８】
請求項３記載の上記構成により、蝶番片の形状とこれら蝶番片の端面間の結合形態は左右対称に構成されたものとなり、蓋体あるいは容器体に不正な力がかかった場合においても、この力が蝶番構造の一部に偏って懸かるのを抑制し、蝶番構造全体に分散する作用をおよぼし、動作性および強度的により優れた蝶番構造を提供できる。
【００１９】
【発明の実施の形態】
以下、本発明の実施形態を図面を参照にしながら説明する。
図１〜図４は本発明の蝶番構造の一実施例を示すものであり、図１はこの蝶番構造を有する化粧用コンパクト容器１の開放状態を示す分解斜視図、図２は容器１の蓋体６を回動限まで開いた状態を示す斜視図である。
【００２０】
容器１は、容器本体２と、蓋体６と、軸ピン９とから構成されていて、一般的に、容器本体２および蓋体６には、成形材料としてたとえばＡＢＳ、ＡＳ、ポリプロピレン等が用いられ、軸ピン１１には、成形材料としてたとえば強度の高いナイロン等が用いられている。
【００２１】
化粧料を収納する角皿体状の容器本体２には、後端の左右両端部からそれぞれ軸孔４ａを貫通形成する端部蝶番片３ａと、中央部からその両端面から中央部に向かって軸孔４ｂを形成した内側蝶番片３ｂが設けられている。
【００２２】
鏡体１８を貼着した蓋体６は、後端の上記容器本体２の端部蝶番片３ａと内側蝶番片３ｂの間に対向する位置に一対の蓋体蝶番片７を垂下設しており、この蓋体蝶番片７には軸孔８が貫通して形成されている。
【００２３】
端部蝶番片３ａと蓋体蝶番片７と内側蝶番片３ｂを挿通する軸ピン１１には、潰れ方向への弾性変形が可能であるように、中空円筒状等のものが用いられる。
【００２４】
容器本体２の前端部中央には、係止凹部１１を形成し、また、蓋体６の前端部中央には、係止突起１２が垂下設され、この係止凹部１１と係止突起１２が互いに係合し、容器１の閉塞が保持される。
【００２５】
容器本体２と蓋体６の結合は、蓋体６の蓋体蝶番片７を容器本体２の端部蝶番片３ａと内側蝶番片３ｂの間に嵌入し、さらに端部蝶番３ａの外側端面からそれぞれ、軸ピン９を差し込んで軸孔４ａ、軸孔８、軸孔４ｂを挿通し達成される。（図１、４参照）
【００２６】
図４に示されるように本一実施例の蝶番構造は、蝶番片および軸ピンを左右対称に位置させた構成としている。
【００２７】
また、蓋体蝶番片７をその両側から挟む端部蝶番片３ａと内側蝶番片３ｂに結合するそれぞれの軸ピン９の両端部は、軸孔４ａ、４ｂが軸受けとしての機能を発揮した状態で、この端部蝶番片３ａと内側蝶番片３ｂにより、両持ちの状態で支持されている。
【００２８】
図２は蓋体６を回動限にまで開いた状態を示すが、このような回動限では、容器本体２の後端部の下側に、蓋体６が突き当たっているため、この回動限において、容器本体２若しくは蓋体６に何らかの外力が加わると、この外力が加わった部分が力点となり、容器本体２と蓋体６が突き当たった部分が支点となって、蓋体６の蝶番片７を容器本体２の蝶番片３ａ、３ｂに対して相対的に略後方へ変位させる方向（図３、４中のＣ矢印方向）に力が作用し、その結果軸ピン９に大きな剪断力が作用する。（図４参照）
【００２９】
しかしながら、本一実施例の構成では、蓋体６の１ケの蓋体蝶番片７を結合する軸ピン９が、容器本体２に共に一体連設されているために外力による相対的な変位が極めて小さい、端部蝶番片３ａと内側蝶番片３ｂとで両持ちの状態で確実に支持されるので、上記の大きな剪断力を軸ピン９の一方の支持部に偏することなく両支持部で略均等に受け持ち、支持することができ、その分より大きな剪断力に対抗することができる。
【００３０】
一方、図５、６は従来より一般的に用いられているコンパクト容器の一例を示したものであるが、蓋体蝶番片７’に挿通する軸ピン９’はその一端のみを容器本体２の端部蝶番片３ａで支持された状態であり、前述のように回動限において、容器本体２’若しくは蓋体６’に何らかの外力が加わり、蓋体６’の蝶番片７’を容器本体２’の蝶番片３ａ’に対して相対的に略後方へ変位させる方向に力が作用すると、軸ピン９’の、蓋体蝶番片７の端面と端部蝶番片３ａの内側端面の結合部分に力が集中することに成り、比較的小さな力でも軸ピン９’が折れてしまう。
【００３１】
また、上記従来のコンパクト容器の一例で、軸ピン９’を容器本体２の端部蝶番片３ａで両持ちの状態にするためには、容器の全幅に亘って、軸ピン９’を３ケの軸孔４ａ’、８’、４ａ’に挿通する必要があるが、特には合成樹脂製部材の成形精度の面から簡単に実現することは困難であるが、本願発明の一実施例は蓋体蝶番片７を２ケ設けた構成であり、軸ピン９の挿通長さを短くすることができ、簡単な成形および挿通作業で蝶番を組み立てることができる。
【００３２】
また、蝶番片の形状とこれら蝶番片の端面間の結合形態は左右対称に構成されたものとなり、蓋体６あるいは容器本体２に不正な力がかかった場合においても、この力が蝶番構造の一部に偏って懸かるのを抑制することができる。
【００３３】
【発明の効果】
本発明は、上記した構成となっているので、以下に示す効果を奏する。
請求項１の発明にあっては、軸ピンが容器本体の蝶番片で両持ちの状態で確実に支持されるので、剪断力を軸ピンの一方に偏することなく両支持部で略均等に受け持ち支持するできるので、その分より大きな剪断力に対抗することができ、合成樹脂製の軸ピンの破壊を防止して、高い耐久性を有した容器を提供することができる。
【００３４】
請求項２記載の発明にあっては、２箇所で軸ピンを容器本体の蝶番片で両持ちの状態で支持するための最も単純な構成であり良好な生産性と優れた外観性を有する。
【００３５】
請求項３の発明にあっては、蝶番構造全体を左右対称の形状にすることにより、容器に不正な力がかかった場合においても、この力が蝶番構造の一部に偏って懸かるのを抑制し、蝶番構造全体に分散する作用をおよぼし、動作性および強度的により優れた蝶番構造を提供する。
【図面の簡単な説明】
【図１】本発明の蝶番構造の一実施例を示す、容器の分解斜視図。
【図２】本発明の蝶番構造の一実施例を示す、容器の蓋体を回動限まで開いた状態の一部斜視図。
【図３】図２中、Ａ−Ａ線に沿って示す、側断面図。
【図４】図２中、Ｂ−Ｂ線に沿って示す、要部平断面図。
【図５】従来の化粧料用コンパクト容器の一例を示す、分解斜視図。
【図６】従来の化粧料用コンパクト容器の一例を図４と同様に示す、要部平断面図。
【符号の説明】
１、１’　；　容器
２、２’　；　容器本体
３ａ、３ａ’　；　端部蝶番片
３ｂ　；　内側蝶番片
４ａ、４ａ’　；　軸孔
４ｂ　；　軸孔
６、６’　；　蓋体
７、７’　；　蓋体蝶番片
８、８’　；　軸孔
９、９’　；　軸ピン
１１　；　係止凹部
１２　；　係止突起
１３　；　鏡体
【図１】
2004033286.tif 000003
【図２】
2004033286.tif 000004
【図３】
2004033286.tif 000005
【図４】
2004033286.tif 000006
【図５】
2004033286.tif 000007
【図６】
2004033286.tif 000008